(57)【特許請求の範囲】
【請求項１】
車両のボディに装着されるハウジングと、前記ハウジングに装着される複数の端子と、を備え、充電用コネクタと嵌合接続される車両側コネクタであって、
前記充電用コネクタとの嵌合方向を前後方向の基準とし前記充電用コネクタとの嵌合側を前側とした場合に、
前記ハウジングは、前記ボディに取り付けられる取付板と、前記取付板に設けられた前面開口の嵌合筒部と、を備え、
前記嵌合筒部は、円形の隔壁と、前記隔壁の前面外周縁に突出形成された環形のフード部と、を備え、
前記嵌合筒部には、端子収容部が前記隔壁を前後方向に貫通するようにして形成され、前記端子収容部は、円筒状をなす周壁の内周側に複数本の円筒部を配置した構造であり、前記周壁は前記隔壁の前側のみに配されており、
前記隔壁は、前記円筒部の内部空間と前記隔壁の後側空間とを連通させる排水空間を有しており、
前記排水空間は、前記周壁の内周面よりも内周側に位置する第１排水空間と、前記周壁の後端面を後側に露出させるとともに前記後端面の後側に位置して設けられ前記第１排水空間に連通する第２排水空間と、前記隔壁を貫通するとともに前記周壁の外周面よりも外周側に位置して前記第２排水空間に連通する拡張空間と、を備えて構成されている車両側コネクタ。
【請求項２】
前記嵌合筒部を前側から見て縦方向を上下方向とし、横方向を左右方向とした場合に、
前記複数の円筒部は、前記周壁の下端部に位置する第１円筒部を備えて構成され、前記排水空間は、前記第１円筒部の左右両側に一対配されている請求項１に記載の車両側コネクタ。
【発明の詳細な説明】
【技術分野】
【０００１】
本明細書によって開示される技術は、車両側コネクタに関する。
【背景技術】
【０００２】
従来、電気自動車やハイブリッド車などに搭載されたバッテリに接続された車両側コネクタであって、バッテリへの充電時に充電用コネクタ（図示せず）と嵌合される車両側コネクタとして、特開２０１２−２４３４６７号公報（下記特許文献１）に記載のものが知られている。車両側コネクタは、端子金具が内部に収容される円筒部を有しており、円筒部内には、前方から浸入した水を後方へ逃がす逃がし孔が設けられている。
【先行技術文献】
【特許文献】
【０００３】
【特許文献１】特開２０１２−２４３４６７号公報
【発明の概要】
【発明が解決しようとする課題】
【０００４】
しかしながら、上記の逃がし孔は、円筒部を構成する筒壁よりも内側の領域で円筒部の奥壁を後方に切り欠いたものであり、円筒部自体が小さいと、逃がし孔も小さいものとならざるを得ず、排水性能を確保できなくなる。また、上記の充電用コネクタは、複数の円筒部を一括して囲う周壁を備えているものの、円筒部の外面と周壁の内面との間に浸入した水を排水する排水路を備えていないため、円筒部の外面と周壁の内面との間に水が溜まることになる。
【課題を解決するための手段】
【０００５】
本明細書によって開示される車両側コネクタは、車両の内外を隔離する隔壁と、前記隔壁から前側に突出する形態をなす周壁と、前記周壁の内側に配され前記隔壁を前後方向に貫通する形態で設けられた複数の円筒部とを備え、前記隔壁は、前記円筒部の内部空間と前記隔壁の後側空間とを連通させる排水空間を有しており、前記排水空間は、前記周壁の内側に位置する第１排水空間と、前記周壁の後側に位置して前記第１排水空間に連通する第２排水空間とを備えて構成されているものとしてもよい。
【０００６】
このようにすると、周壁の内部空間に浸入した水が第１排水空間から排水される第１の排水経路と、第２排水空間から排水される第２の排水経路とが存在する。周壁が小さくなると、第１の排水経路による排水性能は低下するものの、第２の排水経路によって排水性能を高めることができる。したがって、周壁が小さい場合でも十分な排水性能を確保することができる。
【０００７】
本明細書によって開示される車両側コネクタは、以下の構成としてもよい。
前記排水空間は、前記周壁の外側に位置する拡張空間をさらに備えている構成としてもよい。
このような構成によると、第２排水空間から排水される第２の排水経路に加えて、拡張空間から排水される第３の排水経路が追加されるため、さらに排水性能を高めることができる。
【０００８】
前記複数の円筒部は、前記周壁の下端部に位置する第１円筒部を備えて構成され、前記排水空間は、前記第１円筒部の左右両側に一対配されている構成としてもよい。
このような構成によると、一対の排水空間によって排水することができる。
【発明の効果】
【０００９】
本明細書によって開示される技術によれば、周壁が小さい場合でも十分な排水性能を確保することができる。
【図面の簡単な説明】
【００１０】
【図１】車両側コネクタの正面図
【図２】図１における円筒部の拡大図
【図３】図１におけるＡ−Ａ線断面図
【図４】図３における排水空間の拡大図
【図５】車両側コネクタの背面図
【図６】図５における円筒部の拡大図
【発明を実施するための形態】
【００１１】
＜実施形態＞
実施形態を図１から図６の図面を参照しながら説明する。本実施形態の車両側コネクタＶＣは、電気自動車やハイブリッド車などに搭載されたバッテリ（図示せず）に接続され、このバッテリへの充電時に充電用コネクタ（図示せず）が嵌合接続される。以下においては、充電用コネクタとの嵌合側（図３における図示左側）を前側として説明する。
【００１２】
車両側コネクタＶＣは、図１に示すように、車両のボディに装着されるインレットハウジング３０（以下、ハウジング３０）と、ハウジング３０に後方から装着される大小二種類の端子（図示せず）とを備えている。端子は、大径のパワー端子と、小径の信号用端子とから構成され、いずれも円筒状をなしている。
【００１３】
ハウジング３０は、合成樹脂材により形成された雌側ハウジングであって、車両のボディ（パネル）に取り付けられる正面方形をなす取付板３１と、取付板３１に設けられた前面開口の嵌合筒部３５とを備えている。嵌合筒部３５は詳細には、車両の内外を隔離する円形の隔壁３６の前面外周縁に、環形のフード部３７が突出形成された形状であって、嵌合筒部３５内に、相手の充電用コネクタの雄側ハウジング（図示せず）が嵌合されるようになっている。取付板３１の四隅には、取付孔３２が開口されている。
【００１４】
嵌合筒部３５には、４本の端子収容部４０が隔壁３６を前後方向に貫通するようにして形成されている。端子収容部４０は、パワー端子を収容するための第１端子収容部４１と、信号用端子を収容するための第２端子収容部５０の２種類が２本ずつ設けられ、第１端子収容部４１が横方向に、第２端子収容部５０が縦方向に並んで、十字を組んだような位置に配されている。
【００１５】
第２端子収容部５０は、円筒状をなす周壁５１の内周側に４本の円筒部５２を配置した構造である。各円筒部５２は、十字形をなす配置で周壁５１の内周面５１Ａに連結されている。また、円筒部５２は隔壁３６を前後方向に貫通する形態とされているのに対して、周壁５１は隔壁３６の前側のみに配されている。図３に示すように、各円筒部５２の内部には、信号用端子が収容される端子収容室５３が形成されている。以下においては、４本の円筒部５２のうち最も下側に位置するものを第１円筒部５２という。
【００１６】
ハウジング３０における隔壁３６の背面には、図５に示すように、後面開口の装着筒部６０が突出形成されている。装着筒部６０には、各端子を一括して抜け止めするためのリテーナ（図示せず）が装着されるようになっている。装着筒部６０の内周側に、各端子収容部４０が配されている。
【００１７】
さて、図１に示すように、隔壁３６における第１円筒部５２の左右両側には、一対の排水空間Ｓが形成されている。排水空間Ｓは、図３に示すように、円筒部５２の外周面５２Ａと周壁５１の内周面５１Ａとの間に形成された前側空間ＦＳと、隔壁３６の後側に形成された後側空間ＢＳとを連通させる空間である。後側空間ＢＳは、詳細には図５に示すように、円筒部５２の外周面５２Ａと第１端子収容部４１の外周面４１Ａとの間に形成された空間である。
【００１８】
図３の一点鎖線で示すように、排水空間Ｓは、前側空間ＦＳに浸入した水を後側空間ＢＳに排水させるための空間である。排水空間Ｓは、図４に示すように、周壁５１の内周面５１Ａの内側に位置する第１排水空間Ｓ１と、周壁５１の後端面５１Ｂの後側に位置して第１排水空間Ｓ１に連通する第２排水空間Ｓ２と、周壁５１の外周面５１Ｃよりも外周側に位置して第２排水空間Ｓ２に連通する拡張空間Ｓ３とを備えている。前側空間ＦＳは、第１排水空間Ｓ１と第２排水空間Ｓ２の双方に連通している。
【００１９】
前側空間ＦＳから後側空間ＢＳに至る排水経路としては、図３に示すように、第１排水空間Ｓ１のみを経由する第１の排水経路Ｒ１と、図４に示すように、第１排水空間Ｓ１と第２排水空間Ｓ２を経由する第２の排水経路Ｒ２と、第２排水空間Ｓ２と拡張空間Ｓ３を経由する第３の排水経路Ｒ３とが存在することになる。第１の排水経路Ｒ１と第２の排水経路Ｒ２は、前側空間ＦＳから第１排水空間Ｓ１に直接浸入するのに対して、第３の排水経路Ｒ３は、前側空間ＦＳから第１排水空間Ｓ１を経由することなく第２排水空間Ｓ２に直接浸入するものとされている。
【００２０】
第３の排水経路Ｒ３が実現可能な理由は、周壁５１の一部を外周側に貫通する形態で切り欠くことで、前側空間ＦＳから第２排水空間Ｓ２を超えて下方に開口する形態で拡張空間Ｓ３が設けられているからである。一方、第１排水空間Ｓ１は、隔壁３６の一部を前後方向に貫通する形態で切り欠くことで、前側空間ＦＳから後方に開口する形態で設けられていることになる。これにより、前側空間ＦＳは、後方と下方の双方に開口する形態となり、周壁５１の小型化に起因して前側空間ＦＳと後側空間ＢＳとを連通させる開口部の面積が小さくなった場合でも、周壁５１の外周側に排水空間Ｓを張り出させて拡張することで前記した開口部を拡張させて排水性能を確保できるようになっている。
【００２１】
以上のように本実施形態では、周壁５１の内部空間（前側空間ＦＳ）に浸入した水が第１排水空間Ｓ１から排水される第１の排水経路Ｒ１と、第２排水空間Ｓ２から排水される第２の排水経路Ｒ２とが存在する。周壁５１が小さくなると、第１の排水経路Ｒ１による排水性能は低下するものの、第２の排水経路Ｒ２によって排水性能を高めることができる。したがって、周壁５１が小さい場合でも十分な排水性能を確保することができる。
【００２２】
排水空間Ｓは、周壁５１の外側に位置する拡張空間Ｓ３をさらに備えている構成としてもよい。
このような構成によると、第２排水空間Ｓ２から排水される第２の排水経路Ｒ２に加えて、拡張空間Ｓ３から排水される第３の排水経路Ｒ３が追加されるため、さらに排水性能を高めることができる。
【００２３】
複数の円筒部５２は、周壁５１の下端部に位置する第１円筒部５２を備えて構成され、排水空間Ｓは、第１円筒部５２の左右両側に一対配されている構成としてもよい。
このような構成によると、一対の排水空間Ｓによって排水することができる。
【００２４】
＜他の実施形態＞
本明細書によって開示される技術は上記記述及び図面によって説明した実施形態に限定されるものではなく、例えば次のような種々の態様も含まれる。
（１）上記実施形態では第２端子収容部５０に排水空間Ｓを設けているものの、第１端子収容部４１に排水空間を設けてもよい。
【００２５】
（２）上記実施形態では周壁５１の下端部に第１円筒部５２が位置するために第１円筒部５２の左右両側に一対の排水空間Ｓを設けているものの、周壁５１の下端部に円筒部５２がない場合には、周壁５１の下端部に排水空間を設けてもよい。
【符号の説明】
【００２６】
ＶＣ…車両側コネクタ
３６…隔壁
５１…周壁
５２…円筒部
ＦＳ…前側空間（円筒部の内部空間）
ＢＳ…後側空間
Ｓ…排水空間
Ｓ１…第１排水空間
Ｓ２…第２排水空間
Ｓ３…拡張空間
【図１】
0006601310.tif 000002
【図２】
0006601310.tif 000003
【図３】
0006601310.tif 000004
【図４】
0006601310.tif 000005
【図５】
0006601310.tif 000006
【図６】
0006601310.tif 000007